(57)【要約】【課題】光検出に用いられる複数の増幅回路及び演算増幅回路のゲイン設定を少ないビット数の指令入力で可能にしピン数の削減、動作電流の低減及び小型化を可能にする。【解決手段】選定回路２５からの第１選定制御信号により受光素子２２Ａ〜２２Ｈの増幅回路２３Ａ〜２３Ｈ及び演算増幅回路２４Ａ〜２４Ｄの中から記録または再生に必要な増幅回路及び演算増幅回路を選択し、これら回路を作動状態に制御するとともに選択された増幅回路及び演算増幅回路以外の増幅回路及び演算増幅回路を非動作状態に制御する。そして選定回路２５からの第２選定制御信号により、選択された各増幅回路及び演算増幅回路の出力レベルが光信号の記録または再生に適合した値になるように各増幅回路及び演算増幅回路のゲインを別々に設定し制御する。【選択図】        図１
2005216447.tif 000002
【特許請求の範囲】
【請求項１】
光ビームを光記録媒体に照射して記録及びまたは再生を行う時に前記光記録媒体で反射された反射光ビームを受光する複数の受光素子を含む光検出装置であって、
前記複数の受光素子のそれぞれに設けられ、該各受光素子からの電流信号をそれぞれ電圧信号に変換して出力する複数の増幅回路と、
前記複数の増幅手段から出力される電圧信号の中から選択された２つ以上の電圧信号を加算して光信号の記録または再生に必要な制御信号を出力する複数の演算増幅回路と、
前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを複数段階に別々に設定し制御する複数の第２選定制御信号を送出する選定回路と、
を備えることを特徴とする光検出装置。
【請求項２】
前記選定回路は複数の指令信号入力端子を備え、該選定回路から送出される前記第１及び第２選定制御信号は前記各指令信号入力端子に加えられるハイ／ローで与えられる２値、もしくは３値以上のロジック信号の組み合わせにより生成されるように構成されていることを特徴とする請求項１記載の光検出装置。
【請求項３】
前記光ビームを射出する光源の光量をモニタする受光素子と、この受光素子からの電流信号を電圧信号に変換して出力する増幅回路とを備え、この増幅回路のゲインは前記選定回路から送出される選定制御信号により設定されるように構成されていることを特徴とする請求項１記載の光検出装置。
【請求項４】
前記制御用信号は、トラッキングエラー信号、フォーカスエラー信号の少なくとも１つを含むことを特徴とする請求項１記載の光検出装置。
【請求項５】
前記受光素子は、田の字型に配列された４つの受光素子からなる第１の受光素子群と、この第１の受光素子群を挟むように配設された第２及び第３の受光素子群を備え、前記各第２及び第３の受光素子群は、それぞれ前記第１の受光素子群に近い側に位置する受光素子と、前記第１の受光素子群から遠い側に位置する受光素子との２つの受光素子で構成されていることを特徴とする請求項１記載の光検出装置。
【請求項６】
前記受光素子、前記増幅回路、前記演算増幅回路及び前記選定回路は同一の半導体基板上に形成されることを特徴とする請求項１記載の光検出装置。
【請求項７】
記録及びまたは再生用の光ビームを出射する光源と、前記光源から出射された光ビームを集光して光記録媒体に照射する対物レンズと、前記照射された光ビームの前記光記録媒体での反射光ビームを前記対物レンズを介して受光する複数の受光素子を含んでなる光検出装置とを備えた光ピックアップであって、
前記光検出装置は、
前記複数の受光素子のそれぞれに設けられ、該各受光素子からの電流信号をそれぞれ電圧信号に変換して出力する複数の増幅回路と、
前記複数の増幅手段から出力される電圧信号の中から選択された２つ以上の電圧信号を加算して光信号の記録または再生に必要な制御信号を出力する複数の演算増幅回路と、
前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを複数段階に別々に設定し制御する複数の第２選定制御信号を送出する選定回路と、
を備えることを特徴とする光ピックアップ。
【請求項８】
前記選定回路は複数の指令信号入力端子を備え、該選定回路から送出される前記第１及び第２選定制御信号は前記各指令信号入力端子に加えられるハイ／ローで与えられる２値、もしくは３値以上のロジック信号の組み合わせにより生成されるように構成されていることを特徴とする請求項７記載の光ピックアップ。
【請求項９】
前記記録及びまたは再生用の光ビームを射出する光源の光量をモニタする受光素子と、この受光素子からの電流信号を電圧信号に変換して出力する増幅回路とを備え、この増幅回路のゲインは前記選定回路から送出される選定制御信号により設定されるように構成されていることを特徴とする請求項７記載の光ピックアップ。
【請求項１０】
前記制御用信号は、トラッキングエラー信号、フォーカスエラー信号の少なくとも１つを含むことを特徴とする請求項７記載の光ピックアップ。
【請求項１１】
前記受光素子は、田の字型に配列された４つの受光素子からなる第１の受光素子群と、この第１の受光素子群を挟むように配設された第２及び第３の受光素子群を備え、前記各第２及び第３の受光素子群は、それぞれ前記第１の受光素子群に近い側に位置する受光素子と、前記第１の受光素子群から遠い側に位置する受光素子との２つの受光素子で構成されていることを特徴とする請求項７記載の光ピックアップ。
【請求項１２】
前記受光素子、前記増幅回路、前記演算増幅回路及び前記選定回路は同一の半導体基板上に形成されることを特徴とする請求項７記載の光ピックアップ。
【請求項１３】
光記録媒体を保持して回転駆動する駆動手段と、
前記駆動手段によって回転駆動する光記録媒体に対し記録及びまたは再生用の光ビームを照射し、前記光記録媒体からの反射光ビームを検出する光ピックアップとを有する光ディスク装置であって、
前記光ピックアップは、
前記記録及びまたは再生用の光ビームを出射する光源と、
前記光源から出射された光ビームを集光して前記光記録媒体に照射する対物レンズと、
前記照射された光ビームの前記光記録媒体での反射光ビームを前記対物レンズを介して受光する複数の受光素子を含んでなる光検出装置を備え、
前記光検出装置は、
前記複数の受光素子のそれぞれに設けられ、該各受光素子からの電流信号をそれぞれ電圧信号に変換して出力する複数の増幅回路と、
前記複数の増幅手段から出力される電圧信号の中から選択された２つ以上の電圧信号を加算して光信号の記録または再生に必要な制御信号を出力する複数の演算増幅回路と、
前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを別々に設定し制御する複数の第２選定制御信号を送出する選定回路と、
を備えることを特徴とする光ディスク装置。
【請求項１４】
前記選定回路は複数の指令信号入力端子を備え、該選定回路から送出される前記第１及び第２選定制御信号は前記各指令信号入力端子に加えられるハイ／ローで与えられる２値、もしくは３値以上のロジック信号の組み合わせにより生成されるように構成されていることを特徴とする請求項１３記載の光ディスク装置。
【請求項１５】
前記光記録媒体に対して光信号の記録や再生を行うための光ビームを射出する光源の光量をモニタする受光素子と、この受光素子からの電流信号を電圧信号に変換して出力する増幅回路とを備え、この増幅回路のゲインは前記選定回路から送出される選定制御信号により設定されるように構成されていることを特徴とする請求項１３記載の光ディスク装置。
【請求項１６】
前記制御用信号は、トラッキングエラー信号、フォーカスエラー信号の少なくとも１つを含むことを特徴とする請求項１３記載の光ディスク装置。
【請求項１７】
前記受光素子は、田の字型に配列された４つの受光素子からなる第１の受光素子群と、この第１の受光素子群を挟むように配設された第２及び第３の受光素子群を備え、前記各第２及び第３の受光素子群は、それぞれ前記第１の受光素子群に近い側に位置する受光素子と、前記第１の受光素子群から遠い側に位置する受光素子との２つの受光素子で構成されていることを特徴とする請求項１３記載の光ディスク装置。
【請求項１８】
前記受光素子、前記増幅回路、前記演算増幅回路及び前記選定回路は同一の半導体基板上に形成されることを特徴とする請求項１３記載の光ディスク装置。
【発明の詳細な説明】
【技術分野】
【０００１】
本発明は、光記録媒体に光信号の記録や再生を行う光ディスク装置、及び光ディスク装置に用いられる光ピックアップ並びにこの光ピックアップに設けられる光検出装置に関する。
【背景技術】
【０００２】
ＣＤプレーヤーやＣＤ−ＲＯＭプレーヤーに組み込まれている光ピックアップは、図７に示すように、記録・再生用の光ビームを出射するレーザ光源５２と、前記レーザ光源５２の光ビーム出射方向に配置されたビームスプリッタ５４と、前記ビームスプリッタ５４を通過したレーザ光源５２からの光ビームを平行光にするコリメータレンズ５６と、前記コリメータレンズ５６で平行光とされた光ビームを集光して光記録媒体７０に照射する対物レンズ５８と、前記ビームスプリッタ５４の反射方向に対向して配置されビームスプリッタ５４で反射させる前記光記録媒体７０からの反射光ビームを受光して電気信号に変換するフォトディテクタ６０とを備える。
【０００３】
図８は、従来におけるフォトディテクタ６０の回路構成図を示すもので、８チャンネルあるうちの１チャンネル分の回路を示している。
この図８において、フォトディテクタ６０は、フォトセンサ６０１に流れる電流を電圧に変換する電流−電圧変換回路６０２を備える。この電流−電圧変換回路６０２は演算増幅器ＯＰと、この演算増幅器ＯＰの反転入力端子と出力端子６０３間に直列に接続した抵抗Ｒ１とから構成され、演算増幅器ＯＰの反転入力端子とアース間にはフォトセンサ６０１が接続され、演算増幅器ＯＰの非反転入力端子には電圧Ｖｃが供給されている。
【０００４】
このような従来の光学ピックアップにおいて、光記録媒体７０への記録時は、レーザ光源５２から記録信号に応じた光ビームを発生させる。この光ビームはビームスプリッタ５４を通過してコリメータレンズ５６に入射され、このコリメータレンズ５６で平行光にされて対物レンズ５８に入射される。この対物レンズ５８では、平行光を小さなスポットに集光して光記録媒体７０に照射する。これにより、光記録媒体７０の記録膜を変質して光記録媒体７０に信号を記録する。
一方、記録中の光ビームは光記録媒体７０から反射され、その反射光は対物レンズ５８及びコリメータレンズ５６を通過した後、ビームスプリッタ５４によりフォトセンサ６０１へ反射され、入射される。このフォトセンサ６０１で受光された光信号は電気信号に変換され、各種情報信号として取り出される。
また、再生時には、記録時よりも充分に弱い強度の一定の光ビームをレーザ光源５２から発生させ、この光ビームを記録時と同じ光路で光記録媒体７０に照射する。そして、光記録媒体７０の記録面から反射された反射光ビームは対物レンズ５８及びコリメータレンズ５６を通過した後、ビームスプリッタ５４によりフォトセンサ６０１へ反射され、フォトセンサ６０１に入射された光信号は電気信号に変換され、ＲＦ信号、フォーカスエラー信号、トラッキングエラー信号などの各種の情報信号として取り出される。
前記ＲＦ信号としては、再生時に光記録媒体のデータを検出するために用いる再生時用のＲＦ信号（ＲＲＦ信号という）と、記録時に光記録媒体に対する記録状態を検出して光源から出射される光ビームの出射パワーを制御するために用いる記録時用のＲＦ信号（ＷＲＦ信号という）との２種類がある。
【特許文献１】特開２００３−２２３７３４号公報
【発明の開示】
【発明が解決しようとする課題】
【０００５】
ところで、ＣＤ−ＲやＤＶＤ−Ｒのドライブ装置の高速化に伴い、再生時の光ビームの出射パワーに対して記録時の光ビームの出射パワーが上昇するため、記録時と再生時とで検出信号のレベルの差が拡大している。
また、光ピックアップの受光素子で検出される検出信号は、電流−電圧変換回路によって電流信号から電圧信号に変換されるとともに増幅されるが、この増幅率が再生時において最適に設定されていると、記録時には増幅された電圧信号が飽和してしまう。したがって、電流−電圧変換回路は、前記電圧信号の飽和を回避するため、再生時と記録時とで増幅率（ゲイン）をチャンネル毎に切り替えるように構成されている。
一方、ＣＤ−ＲやＤＶＤ−Ｒ用の光学ピックアップでは、記録速度を速くするとレーザ光の記録パワーも増大する。例えば、８倍速記録時よりも２４倍速記録時の方が大きいパワーのレーザ光が必要になる。これに伴い、光信号検出部を構成する受光素子に入射される光量も増加し、以下に述べるような不具合が生じる。
すなわち、電流−電圧変換回路を構成する演算増幅器は、その出力電圧が４Ｖ以上になると飽和する特性を有しているため、例えば、８倍速記録用に作成された受光素子を２４倍速記録用の光学ピックアップに用いると電流−電圧変換回路の出力信号が飽和してしまい、光信号の正常な検出ができない。このため、受光素子が２４倍速のレーザ光パワーを受けても電流−電圧変換回路の出力電圧が飽和しないように電流−電圧変換回路のゲインを下げる方向に切り替えるようにしている。
【０００６】
このようにＣＤ−ＲやＤＶＤ−Ｒの再生時における各電流−電圧変換回路のゲイン、及び記録時における各電流−電圧変換回路のゲインまたは各電流−電圧変換回路の出力信号を加減算する演算増幅回路のゲインを独立した制御信号で切り替えたり、高倍速記録になるにしたがい、記録パワーが大きくなること、及びシステムマージンが厳しくなることから、各電流−電圧変換回路や演算増幅回路の出力レベルを厳密に制御する必要がでてくるため、ゲインを切り替える対象回路が増えてくる。これに伴い、ゲイン切り替え用対象回路の切り替え段数を増やそうとした場合、もしくは新たな出力信号を光検出部から取り出そうとした場合、光検出部や電流−電圧変換回路または演算増幅回路が形成されるＩＣチップのパッド数及び前記ＩＣチップを実装する基板上のピン数も不足し、また、これらパッド及びピンを不足分に合わせて増加させると、ＩＣチップ及び基板が大きくなって既存のパッケージに収納できなくなり、ＩＣチップ及び基板を収納できるパッケージを新たに設計し作製しなければならず、パッケージが大きくなるとともにコスト高になり、また、これを搭載した光ピックアップの寸法も大きくなってしまい、必要なＣＤ−ＲやＤＶＤ−Ｒのドライブ装置に装着できなくなる。また、電流−電圧変換回路や演算増幅回路等の回路が増えることに伴い、これらの回路が常に作動状態におかれると消費電力が大きくなるとともに、光検出部や各種回路を含むＩＣチップが透明な樹脂材によりモールドパッケージングされていた場合には、このモールド樹脂が回路部などからの熱により軟化または変形されてしまうなどの問題があった。
【０００７】
本発明は、このような従来の問題を解決するためになされたもので、指令入力数に倍する数の電流−電圧変換用増幅回路のゲイン及び各電流−電圧変換用増幅回路の出力信号を加減算して制御信号を出力する演算増幅回路のゲインを記録時の記録速度または再生動作及び再生時の光記録媒体の種類に応じて選定可能にするとともに、前記指令入力に要するピン数の削減及び動作電流の低減と小型化を可能にした光検出装置及びこれを用いた光ピックアップ並びに光ディスク装置を提供することを目的とする。
【課題を解決するための手段】
【０００８】
上記目的を達成するために本発明は、光ビームを光記録媒体に照射して記録及びまたは再生を行う時に前記光記録媒体で反射された反射光ビームを受光する複数の受光素子を含む光検出装置であって、前記複数の受光素子のそれぞれに設けられ、該各受光素子からの電流信号をそれぞれ電圧信号に変換して出力する複数の増幅回路と、前記複数の増幅手段から出力される電圧信号の中から選択された２つ以上の電圧信号を加算して光信号の記録または再生に必要な制御信号を出力する複数の演算増幅回路と、前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを複数段階に別々に設定し制御する複数の第２選定制御信号を送出する選定回路とを備えることを特徴とする。
【０００９】
また、本発明は、記録及びまたは再生用の光ビームを出射する光源と、前記光源から出射された光ビームを集光して光記録媒体に照射する対物レンズと、前記照射された光ビームの前記光記録媒体での反射光ビームを前記対物レンズを介して受光する複数の受光素子を含んでなる光検出装置とを備えた光ピックアップであって、前記光検出装置は、前記複数の受光素子のそれぞれに設けられ、該各受光素子からの電流信号をそれぞれ電圧信号に変換して出力する複数の増幅回路と、前記複数の増幅手段から出力される電圧信号の中から選択された２つ以上の電圧信号を加算して光信号の記録または再生に必要な制御信号を出力する複数の演算増幅回路と、前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを複数段階に別々に設定し制御する複数の第２選定制御信号を送出する選定回路とを備えることを特徴とする。
【００１０】
また、本発明は、光記録媒体を保持して回転駆動する駆動手段と、前記駆動手段によって回転駆動する光記録媒体に対し記録及びまたは再生用の光ビームを照射し、前記光記録媒体からの反射光ビームを検出する光ピックアップとを有する光ディスク装置であって、前記光ピックアップは、前記記録及びまたは再生用の光ビームを出射する光源と、前記光源から出射された光ビームを集光して前記光記録媒体に照射する対物レンズと、前記照射された光ビームの前記光記録媒体での反射光ビームを前記対物レンズを介して受光する複数の受光素子を含んでなる光検出装置を備え、前記光検出装置は、前記複数の受光素子のそれぞれに設けられ、該各受光素子からの電流信号をそれぞれ電圧信号に変換して出力する複数の増幅回路と、前記複数の増幅回路から出力される電圧信号の中から選択された２つ以上の電圧信号を加算して光信号の記録または再生に必要な制御信号を出力する複数の演算増幅回路と、前記複数の増幅回路及び演算増幅回路の中から光信号の記録または再生に必要な増幅回路及び演算増幅回路を選択して作動状態に制御するとともに前記選択された増幅回路及び演算増幅回路以外の増幅回路及び演算増幅回路を非動作状態に制御する第１選定制御信号を送出し、かつ前記選択された各増幅回路及び演算増幅回路の出力レベルが光信号の記録または再生に適合した値になるように該各増幅回路及び演算増幅回路のゲインを別々に設定し制御する複数の第２選定制御信号を送出する選定回路とを備えることを特徴とする。
【発明の効果】
【００１１】
本発明にかかる光検出装置、光ピックアップ及び光ディスク装置によれば、選定回路から送出される第１選定制御信号により複数の増幅回路及び演算増幅回路の中から光信号の記録または再生に必要な増幅回路及び演算増幅回路を選択して、これら回路を作動状態に制御するとともに選択された増幅回路及び演算増幅回路以外の増幅回路及び演算増幅回路を非動作状態に制御し、さらに、選定回路から送出される第２選定制御信号により、前記選択された各増幅回路及び演算増幅回路の出力レベルが光信号の記録または再生に適合した値になるように該各増幅回路及び演算増幅回路のゲインを別々に設定し制御するようにしたので、選定回路に対する指令入力のビット数が数ビットであっても、この指令入力ビット数に倍する電流−電圧変換用増幅回路のゲイン及び演算増幅回路のゲインを記録時の記録速度または再生動作または再生時の光記録媒体の種類に応じて選定することができるとともに、選定回路への指令入力に要するピン数を削減でき、これにより、光検出装置を含む光ピックアップの小型化が可能になり、既存のパッケージへの収容を容易に実現できる。さらに、選択された増幅回路及び演算増幅回路以外の増幅回路及び演算増幅回路を非動作状態に制御することにより動作電流を低減できるほか、透明なモールドパッケージの熱により軟化または変形を防止できる。
【発明を実施するための最良の形態】
【００１２】
この発明の実施の最良の形態における光検出装置、光ピックアップ及び光ディスク装置は、選定回路から送出される第１選定制御信号により、光記録媒体の記録面で反射された反射光ビームを受光する複数の受光素子のそれぞれに接続された複数の増幅回路及び該増幅回路から出力される電圧信号の中から選択された２つ以上の電圧信号を加算して光信号の記録または再生に必要な制御信号を出力する複数の演算増幅回路の中から光信号の記録または再生に必要な増幅回路及び演算増幅回路を選択して、これら回路を作動状態に制御するとともに選択された増幅回路及び演算増幅回路以外の増幅回路及び演算増幅回路を非動作状態に制御する。そして、選定回路から送出される第２選定制御信号により、前記選択された各増幅回路及び演算増幅回路の出力レベルが光信号の記録または再生に適合した値になるように該各増幅回路及び演算増幅回路のゲインを別々に設定する。
これにより、指令入力数に倍する数の増幅回路のゲイン及び各増幅回路の出力信号を加減算して制御信号を出力する演算増幅回路のゲインを記録時の記録速度または再生動作及び再生時の光記録媒体の種類に応じて選定できるとともに、選定回路への指令入力に要するピン数の削減と動作電流の低減及び小型化を可能にする。
【実施例１】
【００１３】
以下、本発明による光検出装置、光ピックアップ及び記録再生装置の実施の形態を図面に基づいて詳細に説明する。
図２は、本発明の実施例１における光検出装置及び光ピックアップを組み込んだ光ディスク装置の構成を示すブロック図である。なお、図２に示す光ディスク装置は、以下に説明する光ピックアップを搭載することが可能な記録再生装置の一例である。
【００１４】
図２において、光ディスク装置１０１は、ＣＤ−ＲやＤＶＤ−Ｒなどの光記録媒体としての光ディスク１０２を回転駆動する駆動手段としてのスピンドルモータ１０３と、光ピックアップ１０４と、その駆動手段としての送りモータ１０５とを備えている。ここで、スピンドルモータ１０３は、システムコントローラ１０７及びサーボ制御部１０９により所定の回転数で駆動制御される構成になっている。
【００１５】
信号変復調部及びＥＣＣブロック１０８は、信号処理部１２０から出力される信号の変調、復調及びＥＣＣ（エラー訂正符号）の付加を行う。光ピックアップ１０４は、システムコントローラ１０７及びサーボ制御部１０９からの指令に従って回転する光ディスク１０２の信号記録面に対してそれぞれ光照射を行う。このような光照射により光ディスク１０２に対する光信号の記録、再生が行われる。
また、光ピックアップ１０４は、光ディスク１０２の信号記録面からの反射光ビームに基づいて、後述するような各種の光ビームを検出し、各光ビームに対応する信号を信号処理部部１２０に供給できるように構成されている。
【００１６】
前記信号処理部１２０は、各光ビームに対応する検出信号に基づいてサーボ制御用信号、すなわち、フォーカスエラー信号、トラッキングエラー信号、ＲＦ信号、ランニングＯＰＣ処理に必要なモニタ信号（以下Ｒ−ＯＰＣ信号という）、記録時における光ディスクの回転制御を行うために必要なＡＴＩＰ信号などを生成できるように構成されている。また、再生対象とされる記録媒体の種類に応じて、サーボ制御部１０９、信号変調及びＥＣＣブロック１０８等により、これらの信号に基づく復調及び誤り訂正処理等の所定の処理が行われる。
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
また、前記信号処理部１２０は、光ディスク１０２に対する情報の記録を行う記録モードにあること、及び光ディスク１０２に記録されている情報を再生する再生モードにあることのそれぞれを示す制御信号を図１に示す光検出装置２０に出力するように構成されている。
【００１７】
また、信号変調及びＥＣＣブロック１０８により復調された記録信号がオーディオ・ビジュアル用であれば、Ｄ／Ａ，Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
前記光ピックアップ１０４には、例えば光ディスク１０２上の所定の記録トラックまで移動させるための送りモータ１０５が接続されている。スピンドルモータ１０３の制御と、送りモータ１０５の制御と、光ピックアップ１０４の対物レンズを保持する二軸アクチュエータのフォーカシング方向及びトラッキング方向の制御は、それぞれサーボ制御部１０９により行われる。
すなわち、サーボ制御部１０９は、ＡＴＩＰ信号に基づいてスピンドルモータ１０３の制御を行ない、フォーカスエラー信号およびトラッキングエラー信号に基づいて二軸アクチュエータの制御を行う。
また、レーザ制御部１２１は、光ピックアップ１０４におけるレーザ光源を制御するものであり、特に本例ではレーザ光源の出射パワーを記録時と再生時とで制御する動作を行う。また、記録時においては、ＷＲＦ信号から生成されるＲ−ＯＰＣ信号に基づいてレーザ光源の出射パワーを制御するように構成されている。
【００１８】
図３は本発明の実施例１による光ピックアップの光学系を示す構成図である。
図３において、光ピックアップ１０４は、レーザ光源１、グレーティング素子２、コリメータレンズ３、ビームスプリッタ４、対物レンズ５、光検出装置２０を備えており、これらの各部品が不図示のホルダーにマウントされて構成されている。
なお、トラッキングエラーの検出やフォーカスエラーの検出については従来公知の様々な方法を用いることができるが、本例においては、トラッキングエラー信号をＤＰＰ（Ｄｉｆｆｅｒｅｎｔｉａｌ  Ｐｕｓｈ−Ｐｕｌｌ）法で検出し、フォーカスエラー信号を非点収差（Ａｓｔｉｇｍａ）法で検出するものとして説明する。
【００１９】
光ピックアップ１０４において、前記レーザ光源１から出射された光ビームは前記グレーティング素子２を通過することで１つのメインビームと２つのサイドビームに分離されコリメータレンズ３およびビームスプリッタ４を通過し、対物レンズ５を介して光ディスク１０２に照射され、光ディスク１０２で反射された反射光ビームは対物レンズ５を介してビームスプリッタ４で分離され、光検出装置２０に導かれるように構成されている。
【００２０】
図１は本発明の実施例１における光検出装置の構成を示す回路図である。
図１に示すように、光検出装置２０は、同一の半導体基板２１上に直線状に間隔をおいて配設された３つの光検出部２２１〜２２３と、同一の半導体基板２１上に光検出部２２１〜２２３から離間して形成された８つの増幅回路２３Ａ〜２３Ｈ、４つの演算増幅回路２４Ａ〜２４Ｄ及び選定回路２５とを備えている。
【００２１】
前記選定回路２５は、増幅回路２３Ａ〜２３Ｈ及び演算増幅回路２４Ａ〜２４Ｄの中から光信号の記録または再生に必要な増幅回路２３Ａ〜２３Ｈ及び演算増幅回路２４Ａ〜２４Ｄを選択して作動状態に制御するとともに選択された増幅回路２３Ａ〜２３Ｈ及び演算増幅回路２４Ａ〜２４Ｄ以外の増幅回路２３Ａ〜２３Ｈ及び演算増幅回路２４Ａ〜２４Ｄを非動作状態に制御する第１選定制御信号Ｓ１１〜Ｓ１４を送出し、かつ選択された各増幅回路２３Ａ〜２３Ｈ及び演算増幅回路２４Ａ〜２４Ｄの出力レベルが光信号の記録または再生に適合した値になるように該各増幅回路２３Ａ〜２３Ｈ及び演算増幅回路２４Ａ〜２４Ｄのゲインを別々に設定し制御する複数の第２選定制御信号Ｓ２１〜Ｓ２４を送出する構成になっている。また、選定回路２５には、これから第１及び第２の選定制御信号を送出するための複数ビットの指令信号がシステムコントローラ１０７から供給されるようになっている。
また、選定回路２５に設けられた複数の指令信号入力端子には、これから第１及び第２の選定制御信号を送出するための複数ビットの指令信号がシステムコントローラ１０７から供給されるようになっている。
本実施例では、システムコントローラ１０７から選定回路２５の複数の指令信号入力端子に供給される複数ビットの指令信号はハイ／ローで与えられる２値のロジック信号の組み合わせであるが、前記指令信号が３値以上のロジック信号の組み合わせによるものであってもよいことはもちろんである。
【００２２】
図１において、中央の光検出部２２１は、メインビームＢ１を受光するものであって、田の字状に４分割された矩形状に形成され、４つの受光素子２２Ａ〜２２Ｄから構成されている。
前記光検出部２２１の一方の側部に隣接する光検出部２２２は、２つのサイドビームの一方のサイドビームＢ２を受光するものであって、２分割された矩形状を呈し、光検出部２２１に近い側の受光素子２２Ｆと光検出部２２１から遠い側の受光素子２２Ｅとから構成されている。
また、前記光検出部２２１の他方の側部に隣接する光検出部２２３は、２つのサイドビームの他方のサイドビームＢ３を受光するものであって、２分割された矩形状を呈し、光検出部２２１に近い受光素子２２Ｇと光検出部２２１から遠い受光素子２２とから構成されている。
前記受光素子２２Ａ〜２２Ｈは、受光した光量に応じた電流信号を検出信号として出力するように構成されており、この受光素子２２Ａ〜２２Ｈのそれぞれから出力される電流信号を電流信号Ａ〜Ｈとする。
【００２３】
前記増幅回路２３Ａ〜２３Ｈは、これらに対応する受光素子２２Ａ〜２２Ｈから出力される検出信号Ａ〜Ｈのそれぞれを電流電圧変換するとともに、増幅するように構成されている。
前記各増幅回路２３Ａ〜２３Ｈは全て同一構成であるため、増幅回路２３Ａについてのみ説明し、他の増幅回路２３Ｂ〜２３Ｈについてはその構成説明を省略する。
【００２４】
増幅回路２３Ａは、ＯＰアンプ２３１と、このＯＰアンプ２３１の増幅率を決定する２つの帰還抵抗２３２、２３３と、これら２つの帰還抵抗２３２、２３３を選択的に前記ＯＰアンプ２３１の一方の入力端と出力端との間に切り替え接続するスイッチ手段２３４とを備えて構成されている。
前記増幅回路２３ＡのＯＰアンプ２３１は、記録モードまたは再生モードに応じて前記選定回路２５から出力される第１選定制御信号Ｓ１１により選択された時に作動状態に制御されるとともに選択されない時は非動作状態に制御されるように構成されている。
また、前記スイッチ手段２３４は、記録モードまたは再生モードに応じて前記選定回路２５から出力される第２選定制御信号Ｓ２１により帰還抵抗２３２または２３３側に切り替えられるように構成されている。
例えば、スイッチ手段２３４によって帰還抵抗２３２が選択されると、増幅回路２３Ａの増幅率は記録時用増幅率Ａｗとなり、帰還抵抗２３３が選択されると、増幅回路２３Ａの増幅率は再生時用の高い増幅率Ａｒとなるように構成されている。
これにより、前記増幅回路２３Ａ〜２３Ｈのそれぞれは、前記受光素子２２Ａ〜２２Ｈから出力される検出信号Ａ〜Ｈのそれぞれを電流電圧変換して増幅する。また、各増幅回路２３Ａ〜２３Ｈによって増幅された検出信号Ａ〜Ｈは前記信号処理部１２０に出力される。
【００２５】
前記演算増幅回路２４Ａは、加算器２４１と、この加算器２４１の増幅率を決定する２つの帰還抵抗２４２、２４３と、これら２つの帰還抵抗２４２、２４３を選択的に前記加算器２４１の一方の入力端と出力端との間に切り替え接続するスイッチ手段２４４と、前記増幅回路２３Ａ及び２３Ｄの検出信号Ａ、Ｄのそれぞれを入力する２つの入力抵抗２４５Ａとを備えて構成されている。
なお、前記演算増幅回路２４Ｂは前記演算増幅回路２４Ａと同一の構成になっており、演算増幅回路２４Ａと異なる点は、演算増幅回路２４Ｂの加算器で加算される信号が増幅回路２３Ｂ及び２３Ｃの検出信号Ｂ、Ｃである。
また、前記演算増幅回路２４Ａは、記録モードまたは再生モードに応じて前記選定回路２５から出力される第１選定制御信号Ｓ１３により選択された時に作動状態に制御されるとともに選択されない時は非動作状態に制御されるように構成されている。
また、前記スイッチ手段２４４は、記録モードまたは再生モードに応じて前記選定回路２５から出力される第２選定制御信号Ｓ２３により帰還抵抗２４２または２４３側に切り替えられるように構成されている。
例えば、スイッチ手段２４４によって帰還抵抗２４２が選択されると、演算増幅回路２４Ａの増幅率は記録時用増幅率Ａｓｗとなり、帰還抵抗２４３が選択されると、演算増幅回路２４Ａの増幅率は再生時用の高い増幅率Ａｓｒとなるように構成されている。
これにより、演算増幅回路２４Ａは増幅回路２３Ａ及び２３Ｄの検出信号Ａ、Ｄを加算して増幅し、これをＷＰＰ１信号として信号処理部１２０に入力し、また、演算増幅回路２４Ｂは増幅回路２３Ｂ及び２３Ｃの検出信号Ｂ、Ｃを加算して増幅し、これをＷＰＰ２信号として信号処理部１２０に入力する。この信号処理部１２０では、ＷＰＰ１信号とＷＰＰ２信号との差が演算され、ＡＴＩＰ信号としてサーボ制御部１０９に出力する。
【００２６】
前記演算増幅回路２４Ｃは記録用のＷＲＦ信号を取り出すためのもので、加算器２４５と、この加算器２４５の増幅率を決定する２つの帰還抵抗２４６、２４７と、これら２つの帰還抵抗２４６、２４７を選択的に前記加算器２４５の一方の入力端と出力端との間に切り替え接続するスイッチ手段２４８と、前記増幅回路２３Ａ〜２３Ｄの検出信号Ａ〜Ｄのそれぞれを入力する４つの入力抵抗２４９とを備えて構成されている。
また、前記演算増幅回路２４Ｃは、記録モードまたは再生モードに応じて前記選定回路２５から出力される第１選定制御信号Ｓ１３により選択された時に作動状態に制御されるとともに選択されない時は非動作状態に制御されるように構成されている。
また、前記スイッチ手段２４８は、記録モードまたは再生モードに応じて前記選定回路２５から出力される第２選定制御信号Ｓ２３により帰還抵抗２４６または２４７側に切り替えられるように構成されている。
例えば、スイッチ手段２４８によって帰還抵抗２４６が選択されると、演算増幅回路２４Ａの増幅率は記録時用増幅率Ａｓｗとなり、帰還抵抗２４７が選択されると、演算増幅回路２４Ａの増幅率は再生時用の高い増幅率Ａｓｒとなるように構成されている。
また、前記演算増幅回路２４Ｄは再生用のＲＲＦ信号を取り出すためのもので、前記演算増幅回路２４Ｃと同一の構成になっており、演算増幅回路２４Ｃと異なるところは、演算増幅回路２４Ｄの加算器が差動型である点である。これは演算増幅回路２４Ｄの増幅率が低く抑えられる関係上、侵入ノイズの影響を受け易くなるため、この侵入ノイズ成分を除去するためである。
これにより、演算増幅回路２４Ｃは増幅回路２３Ａ〜２３Ｄの検出信号Ａ〜Ｄを加算して増幅し、これをＷＲＦ信号として信号処理部１２０に出力し、また、演算増幅回路２４Ｄは増幅回路２３Ａ〜２３Ｄの検出信号Ａ〜Ｄを加算して増幅し、これをＲＲＦ信号として信号処理部１２０に出力する。
【００２７】
図４は図１に示す回路構成の光検出装置２０がパッケージングされた状態を示す平面図であり、図５はその側面図である。
この図４及び図５において、光検出装置２０はパッケージ３０内に装着され、そして、この光検出装置２０の外周囲は透明な樹脂材３１によりモールドパッケージングされている。これにより、図３に示す光ディスク１０２で反射され、かつビームスプリッタ４で分離された反射光ビームが透明樹脂材３１を通して受光素子２２Ａ〜２２Ｈに入射されるようになっている。
また、前記パッケージ３０を構成する基板３２の周縁部には、前記増幅回路２３Ａ〜２３Ｈの出力信号を取り出すための複数のピン３３や演算増幅回路２４Ａ〜２４Ｄの出力信号を取り出すための複数のピン３４及び選定回路２５に指令信号を入力するための複数のピン３５がそれぞれ設けられている。
【００２８】
次に、本実施例１の動作について説明する。
まず、システムコントローラ１０７から複数ビット、例えば３ビットの指令信号を３つのピン３５を通して光検出装置２０の選定回路２５に供給する。これに伴い、選定回路２５からは、ビットの指令信号の順列組み合わせに応じた３ビットの数倍、例えば３倍に相当する９種類の選定制御信号が生成され送出される。ここで、この９種類の選定制御信号のうち、第１番目から第４番目の選定制御信号を第１選定制御信号Ｓ１１〜Ｓ１４として使用し、第５番目から第９番目の選定制御信号を第２選定制御信号Ｓ２１〜Ｓ２５として使用する。
【００２９】
光ディスク装置を光ディスク１０２の光信号の再生用に動作させる場合は、レーザ制御部１２１によって、レーザ光源１から出射される光ビームを再生及び光ディスク１０２の種類に適合した光強度となるように制御する。そして、選定回路２５から送出される第１選定制御信号Ｓ１１を増幅回路２３Ａ〜２３Ｄに入力して、これら増幅回路２３Ａ〜２３Ｄを動作状態に保持するとともに、選定回路２５から送出される第１選定制御信号Ｓ１２を増幅回路２３Ｅ〜２３Ｈに入力して、これら増幅回路２３Ｅ〜２３Ｈを動作状態に保持する。同様にして、選定回路２５から送出される第１選定制御信号Ｓ１３を演算増幅回路２４Ａ、２４Ｂ及び２４Ｃに入力して、これら演算増幅回路２４Ａ、２４Ｂ及び２４Ｃを非動作状態に保持し、さらに、選定回路２５から送出される第１選定制御信号Ｓ１４を演算増幅回路２４Ｄに入力して、この演算増幅回路２４Ｄを動作状態に保持する。
かかる状態において、選定回路２５から送出される第２選定制御信号Ｓ２１を増幅回路２３Ａ〜２３Ｄのスイッチ手段２３４に入力して、スイッチ手段２３４を帰還抵抗２３３に切り替え接続することにより増幅回路２３Ａ〜２３Ｄの増幅率を再生時用の高い増幅率のゲインに設定する。また、選定回路２５から送出される第２選定制御信号Ｓ２２を増幅回路２３Ｅ〜２３Ｈのスイッチ手段２３４に入力して、スイッチ手段２３４を帰還抵抗２３２に切り替え接続することにより増幅回路２３Ｅ〜２３Ｈの増幅率を低い増幅率のゲインに設定する。さらに、選定回路２５から送出される第２選定制御信号Ｓ２４を演算増幅回路２４Ｄのスイッチ手段２４４に入力して、スイッチ手段２４４を帰還抵抗２４３に切り替え接続することにより演算増幅回路２４Ｄの増幅率を再生時用の高い増幅率のゲインに設定する。
【００３０】
したがって、再生時には、前記演算増幅回路２４Ｄから出力されたＲＦ信号（Ａ＋Ｂ＋Ｃ＋Ｄ）は、ＲＲＦ信号として信号制御部１２０に入力され、サーボ制御に必要な制御信号に生成されてサーボ制御部１０９に出力される。さらに、信号制御部１２０を通して信号変調及びＥＣＣブロック１０８に入力され、この信号変調及びＥＣＣブロック１０８によってイコライジングされ、２値化され、復調信号として出力される。
【００３１】
光ディスク装置を光ディスク１０２への光信号の記録用に動作させる場合は、レーザ制御部１２１によって、レーザ光源１から出射される光ビームを記録及び光ディスク１０２の種類に適合した光強度となるように制御する。そして、選定回路２５から送出される第１選定制御信号Ｓ１１を増幅回路２３Ａ〜２３Ｄに入力して、これら増幅回路２３Ａ〜２３Ｄを動作状態に保持するとともに、選定回路２５から送出される第１選定制御信号Ｓ１２を増幅回路２３Ｅ〜２３Ｈに入力して、これら増幅回路２３Ｅ〜２３Ｈを動作状態に保持する。同様にして、選定回路２５から送出される第１選定制御信号Ｓ１３を演算増幅回路２４Ａ、２４Ｂ及び２４Ｃに入力して、これら演算増幅回路２４Ａ、２４Ｂ及び２４Ｃを動作状態に保持し、さらに、選定回路２５から送出される第１選定制御信号Ｓ１４を演算増幅回路２４Ｄに入力して、この演算増幅回路２４Ｄを非動作状態に保持する。
かかる状態において、選定回路２５から送出される第２選定制御信号Ｓ２１を増幅回路２３Ａ〜２３Ｄのスイッチ手段２３４に入力して、スイッチ手段２３４を帰還抵抗２３２に切り替え接続することにより増幅回路２３Ａ〜２３Ｄの増幅率を低い増幅率のゲインに設定する。また、選定回路２５から送出される第２選定制御信号Ｓ２２を増幅回路２３Ｅ〜２３Ｈのスイッチ手段２３４に入力して、スイッチ手段２３４を帰還抵抗２３２に切り替え接続することにより増幅回路２３Ｅ〜２３Ｈの増幅率を飽和することのない低い増幅率のゲインに設定する。さらに、選定回路２５から送出される第２選定制御信号Ｓ２３を演算増幅回路２４Ａ、２４Ｂ及び２４Ｃのスイッチ手段２４４に入力して、スイッチ手段２４４を帰還抵抗２４２に切り替え接続することにより演算増幅回路２４Ａ、２４Ｂ及び２４Ｃの増幅率を飽和することのない低い増幅率のゲインに設定する。
【００３２】
したがって、記録時には、前記演算増幅回路２４Ｃから出力されたＲＦ信号（Ａ＋Ｂ＋Ｃ＋Ｄ）は、ＷＲＦ信号として信号制御部１２０に入力され、サーボ制御に必要な制御信号に生成されてサーボ制御部１０９に出力される。さらに、信号制御部１２０を通して信号変調及びＥＣＣブロック１０８に入力され、この信号変調及びＥＣＣブロック１０８によってピットレベルにおけるレベルがサンプリングされることによりＲ−ＯＰＣ信号が生成され、これがレーザ制御部１２１に出力される。これにより、記録時におけるレーザ光源１の出射パワーが制御される。
【００３３】
また、記録時において、前記検出信号Ａ、Ｄの和信号（Ａ＋Ｄ）と、検出信号Ｂ、Ｃの和信号（Ｂ＋Ｃ）と２つの和信号の差分がとられ、ＡＴＩＰ信号として出力される。このＡＴＩＰ信号は、未記録状態のＣＤ−Ｒにおいて形成されているプリグルーブによって形成されている一定周期のウォブリングの検出信号であり、サーボ制御部１０９に入力される。このサーボ制御部１０９は前記ＡＴＩＰ信号が所定周期となるようにスピンドルモータ１０３の回転制御を行う。
前記記録時および再生時において、前記検出信号Ａ、Ｃの和信号と、検出信号Ｂ、Ｄの和信号との差信号（Ａ＋Ｃ）−（Ｂ＋Ｄ）はフォーカスエラー信号としてサーボ制御部１０９に入力される。これは非点収差法によるものである。
前記記録時および再生時において、「前記検出信号Ａ、Ｄの和信号と、検出信号Ｂ、Ｃの和信号との差信号（メインプッシュプル信号）」を（Ａ＋Ｄ）−（Ｂ＋Ｃ）とし、「前記検出信号Ｅ、Ｇの和信号と、検出信号Ｆ、Ｈの和信号との差信号（サイドプッシュプル信号）」を（Ｅ＋Ｇ）−（Ｆ＋Ｈ）としたときに、（Ａ＋Ｄ）−（Ｂ＋Ｃ）−Ｋ（（Ｅ＋Ｇ）−（Ｆ＋Ｈ））はトラッキングエラー信号としてサーボ制御部１０９に入力される。これはＤＰＰ法によるものである。
【００３４】
以上のように構成された実施例１によれば、選定回路２５から送出される第１選定制御信号により、光ディスク１０２の記録面で反射された反射光ビームを受光する受光素子２２Ａ〜２２Ｈのそれぞれに接続された増幅回路２３Ａ〜２３Ｈ及び増幅回路２３Ａ〜２３Ｈから出力される電圧信号の中から選択された２つ以上の電圧信号を加算して光信号の記録または再生に必要な制御信号を出力する演算増幅回路２４Ａ〜２４Ｄの中から光信号の記録または再生に必要な増幅回路及び演算増幅回路を選択して、これら回路を作動状態に制御するとともに選択された増幅回路及び演算増幅回路以外の増幅回路及び演算増幅回路を非動作状態に制御し、かつ選定回路２５から送出される第２選定制御信号により、選択された各増幅回路及び演算増幅回路の出力レベルが光信号の記録または再生に適合した値になるように該各増幅回路及び演算増幅回路のゲインを別々に設定し制御するようにしたので、選定回路２５に対する指令入力のビット数が数ビットであっても、この指令入力ビット数に倍する増幅回路２３Ａ〜２３Ｈのゲイン及び演算増幅回路２４Ａ〜２４Ｄのゲインを記録時の記録速度または再生動作または再生時の光ディスク１０２の種類に応じて選定することができとともに、選定回路２５への指令入力に要するピン数を削減でき、これに伴い、光検出装置を含めた光ピックアップの小型化が可能になり、既存のパッケージへの収容を容易に行うことができる。
また、本実施例１によれば、選択された増幅回路及び演算増幅回路以外の増幅回路及び演算増幅回路を非動作状態に制御するようにしたので、光検出装置への動作電流を低減することができ、これにより、光検出装置をパッケージングする透明なモールドパッケージが熱により軟化または変形するのを防止できる。
【００３５】
なお、上記実施例１では、光ディスク１０２で反射された反射光ビームを受光する受光素子２２Ａ〜２２Ｈのそれぞれに接続された増幅回路２３Ａ〜２３Ｈ及び増幅回路２３Ａ〜２３Ｈから出力される電圧信号の中から選択された２つ以上の電圧信号を加算して制御信号を出力する演算増幅回路２４Ａ〜２４Ｄのゲインを別々に設定し制御する場合について説明したが、本発明はこれに限定されず、レーザ光源１の光量をモニタする受光素子と、この受光素子からの電流信号を電圧信号に変換して出力する増幅回路を設け、この増幅回路のゲインを選定回路２５から送出される選定制御信号により設定し制御するようにすることができる。
また、選定回路２５に対する指令入力ビット数、及び選定回路２５から送出される選定制御信号の数も上記実施例１に示すものに限らず、それ以上の数であってもよい。
【図面の簡単な説明】
【００３６】
【図１】本発明の実施１における光検出装置の構成を示す回路図である。
【図２】本発明の実施例１における光検出装置及び光ピックアップを組み込んだ光ディスク装置の構成を示すブロック図である。
【図３】本発明の実施例１による光ピックアップの光学系を示す構成図である。
【図４】本発明の実施例１に示す回路構成の光検出装置をパッケージングした状態を示す平面図である。
【図５】図４の側面図である。
【図６】従来における光ピックアップの全体の構成図である。
【図７】従来におけるフォトディテクタの回路構成図である。
【符号の説明】
【００３７】
１……レーザ光源、５……対物レンズ、２０……光検出装置、２２Ａ〜２２Ｈ……受光素子、２３Ａ〜２３Ｈ……増幅回路、２４Ａ〜２４Ｄ……演算増幅回路、２５……選定回路、１０１……光ディスク装置、１０２……光ディスク、１０４……光ピックアップ。
【図１】
2005216447.tif 000003
【図２】
2005216447.tif 000004
【図３】
2005216447.tif 000005
【図４】
2005216447.tif 000006
【図５】
2005216447.tif 000007
【図６】
2005216447.tif 000008
【図７】
2005216447.tif 000009
【手続補正書】
【提出日】平成16年2月4日(2004.2.4)
【手続補正１】
【補正対象書類名】図面
【補正対象項目名】全図
【補正方法】変更
【補正の内容】
【図１】
2005216447.tif 000010
【図２】
2005216447.tif 000011
【図３】
2005216447.tif 000012
【図４】
2005216447.tif 000013
【図５】
2005216447.tif 000014
【図６】
2005216447.tif 000015
【図７】
2005216447.tif 000016